(57)【要約】【課題】複数台の画像表示装置間の表示色バラツキが少なく、従来以上の色再現範囲を実現できるマルチビジョンシステムを提供することを目的とする。【解決手段】第１画像表示装置の色再現範囲１、および第２画像表示装置の色再現範囲２の赤、緑、青色の共通色度点Ｒｃ、Ｇｃ、Ｂｃと、第１画像表示装置であれば、赤色Ｒａと緑色Ｇａを混色させた中間色イエローＹｃ、緑色Ｇａと青色Ｂａを混色させた中間色シアンＣｃ、青色Ｂａと赤色Ｒａを混色させた中間色マゼンタＭｃとを結ぶ六角形を共通色再現範囲とする。【選択図】図１
2010177979.tif 000002
【特許請求の範囲】
【請求項１】
複数の画像表示装置から構成されるマルチビジョンシステムにおいて、前記複数の画像表示装置がスクリーン上に表示することが可能である共通色再現範囲を、前記複数の画像表示装置の色再現範囲における赤色、緑色、青色の共通色度点を結ぶ領域よりも大きくしたことを特徴とするマルチビジョンシステム。
【請求項２】
前記共通色再現範囲を、前記複数の画像表示装置の色再現範囲における赤色、緑色、青色の共通色度点と、前記複数の画像表示装置の色再現範囲における任意の中間色の共通色度点とを結ぶ範囲としたことを特徴とする請求項１記載のマルチビジョンシステム。
【請求項３】
前記共通色再現範囲を、前記複数の画像表示装置の色再現範囲における赤色、緑色、青色の共通色度点と、前記複数の画像表示装置の色再現範囲における中間色の交点とを結ぶ範囲としたことを特徴とする請求項１記載のマルチビジョンシステム。
【請求項４】
前記複数の画像表示装置の映像表示方式が、フィールドシーケンシャル方式であることを特徴とする請求項１記載のマルチビジョンシステム。
【請求項５】
前記複数の画像表示装置の光源が、発光ダイオードまたはレーザーなどの単色光の固体光源であることを特徴とする請求項１記載のマルチビジョンシステム。
【請求項６】
前記複数の画像表示装置が、赤色、緑色、青色の画素構造をもつディスプレイであることを特徴とする請求項１記載のマルチビジョンシステム。
【請求項７】
前記複数の画像表示装置が、液晶ディスプレイ、プラズマディスプレイ、リアプロジェクションディスプレイ、フィールドエミッションディスプレイのいずれかであることを特徴とする請求項１記載のマルチビジョンシステム。
【発明の詳細な説明】
【技術分野】
【０００１】
本発明は、複数の画像表示装置を並べて構成されるマルチビジョンシステムに関する。
【背景技術】
【０００２】
近年、パブリックビューなどに用いられる高解像度の大画面映像を表示したり、通信や交通などの監視用途に複数個の映像を１つのディスプレイ上に表示することが可能である、複数台の画像表示装置を並べたマルチビジョン（マルチディスプレイ）システムの需要が高まってきている。
【０００３】
また、画像表示装置としては、液晶ディスプレイや、プラズマディスプレイ、プロジェクタやフィールドエミッションディスプレイなどが挙げられ、高解像度に加えて、忠実な色を表示するために、大きな色再現範囲を有するディスプレイが求められている。
【０００４】
このような状況下で、画像表示デバイス自身が発光せず、１つまたは数個といった画素数よりも少ない光源で照明する画像表示装置、つまり液晶ディスプレイやプロジェクタ、およびリアプロジェクションディスプレイといった画像表示装置では、大きな色再現性を実現する画像表示装置の光源として、これまでの冷陰極管などの蛍光灯や、放電型の水銀ランプ等の白色光源から色フィルタを用いて分離した赤、緑、青等の単色光よりも、単色光の色純度が高い発光ダイオードやレーザー等の固体光源が注目されている。
【０００５】
また、画像表示デバイスの画素自身が、赤、緑、青といった単色発光するプラズマディスプレイや、フィールドエミッションディスプレイなどにおいては、蛍光材や色フィルタを透過した光の純度を高めるといった取り組みが行われている。
【０００６】
しかしながら、高解像度で忠実な色再現性が求められている複数台の画像表示装置を並べたマルチビジョンにおいて、光源自身の発光色のバラツキや、色フィルタ、スクリーンなど画像表示装置に用いられる光学部品の性能バラツキによって、各セット間の表示色が異なってしまうという問題があった。
【０００７】
現在、このような問題に対して、例えば、特許文献１、非特許文献１に記されている内容のように、画像表示装置の表示色の色度を表すｘｙ座標系において、複数台の画像表示装置間の色再現範囲の交点を、表示色のターゲット色として設定することで、ターゲット色を結んだ最も内側の三角形が、全てのセットにおいて表示可能な共通色再現範囲となり、各セットの表示色バラツキが改善されることが既に知られている。
【０００８】
図７は、画像表示装置２台の、表示色の色度を表すｘｙ座標系における色再現範囲を示す概略図である。図において、１は第１画像表示装置の赤、緑、青色における色再現範囲を示し、Ｒａ、Ｇａ、Ｂａを頂点とした三角形となっており、２は第２画像表示装置の赤、緑、青色における色再現範囲を示し、Ｒｂ、Ｇｂ、Ｂｂを頂点とした三角形となっている。そして、２つの三角形の交点Ｒｃ、Ｇｃ、Ｂｃがターゲット色となり、交点Ｒｃ、Ｇｃ、Ｂｃを結んだ三角形が、画像表示装置２台の表示可能な共通色再現範囲３となる。
【特許文献１】特許第３５１４７７６号公報
【非特許文献１】三菱電機技報・Ｖｏｌ.７８・Ｎｏ.５・２００４
【発明の開示】
【発明が解決しようとする課題】
【０００９】
しかしながら、上記手法では、ターゲット色を結んだ三角形を共通色再現範囲とするために、赤、緑、青色の単色では共通色再現範囲の最大であるものの、その中間色であるイエロー色、シアン色、マゼンタ色といったところでは、複数台間の色再現範囲の交点であるＣｃ、Ｙｃ、Ｍｃより内側となってしまい、表現可能な色再現範囲が小さくなってしまうといった課題があった。
【００１０】
これは、現在の映像信号が赤、緑、青という３色で、フルカラー映像を再現しているため、その中間色であるイエロー色、シアン色、マゼンタ色といった色は、画像を形成する表示デバイス内の各画素にて光量変調させることで表示させている、つまり、元の光である赤、緑、青の光量配分を変化させているだけなので、各単色色度点を結んだ直線上の色しか表現できないため、中間色であるイエロー色、シアン色、マゼンタ色の交点と、赤、緑、青のターゲット色度を結んだ三角形との間の色度範囲を表示することは困難であった。
【００１１】
本発明は、従来技術における上記課題を解決するためになされたものであり、複数台の画像表示装置間の表示色バラツキが少なく、イエロー色、シアン色、マゼンタ色等の赤、緑、青色の中間色における色再現範囲の交点まで含んだ、従来以上の色再現範囲を実現できるマルチビジョンシステムを提供することを目的とする。
【課題を解決するための手段】
【００１２】
上記課題を解決するために、本発明の請求項１に記載の発明は、複数の画像表示装置から構成されるマルチビジョンシステムにおいて、前記複数の画像表示装置がスクリーン上に表示することが可能である共通色再現範囲を、前記複数の画像表示装置の色再現範囲における赤色、緑色、青色の共通色度点を結ぶ領域よりも大きくしたことを特徴とするマルチビジョンシステムとしたものである。
【００１３】
また、請求項２記載の発明は、請求項１記載のマルチビジョンシステムにおいて、前記共通色再現範囲を、前記複数の画像表示装置の色再現範囲における赤色、緑色、青色の共通色度点と、前記複数の画像表示装置の色再現範囲における任意の中間色の共通色度点とを結ぶ範囲としたことを特徴としたものである。
【００１４】
また、請求項３記載の発明は、請求項１記載のマルチビジョンシステムにおいて、前記共通色再現範囲を、前記複数の画像表示装置の色再現範囲における赤色、緑色、青色の共通色度点と、前記複数の画像表示装置の色再現範囲における中間色の交点とを結ぶ範囲としたことを特徴としたものである。
【００１５】
また、請求項４記載の発明は、請求項１記載のマルチビジョンシステムにおいて、前記複数の画像表示装置の映像表示方式が、フィールドシーケンシャル方式であることを特徴としたものである。
【００１６】
また、請求項５記載の発明は、請求項１記載のマルチビジョンシステムにおいて、前記複数の画像表示装置の光源が、発光ダイオードまたはレーザーなどの単色光を固体光源であることを特徴としたものである。
【００１７】
また、請求項６記載の発明は、請求項１記載のマルチビジョンシステムにおいて、前記複数の画像表示装置が、赤色、緑色、青色の画素構造をもつディスプレイであることを特徴としたものである。
【００１８】
また、請求項７記載の発明は、請求項１記載のマルチビジョンシステムにおいて、前記複数の画像表示装置が、液晶ディスプレイ、プラズマディスプレイ、リアプロジェクションディスプレイ、フィールドエミッションディスプレイのいずれかであることを特徴としたものである。
【発明の効果】
【００１９】
本発明によれば、複数台の画像表示装置間の表示色バラツキが少なく、従来以上の色再現範囲を実現できるマルチビジョンシステムを提供することができる。
【発明を実施するための最良の形態】
【００２０】
以下、本発明の実施の形態について図を用いて説明する。
【００２１】
（実施の形態１）
図１は本発明の第１の実施の形態におけるマルチビジョンシステムの複数台の画像表示装置間の共通色再現範囲を示す概略図であり、本実施の形態においては、画像表示装置であるリアプロジェクションディスプレイ（以下、リアプロと称する）２台の、表示色の色度を表すｘｙ座標系における色再現範囲を示している。
【００２２】
図において、第１画像表示装置の赤、緑、青色における色再現範囲１をＲａ、Ｇａ、Ｂａを頂点とした三角形の領域とし、第２画像表示装置の赤、緑、青色における色再現範囲２をＲｂ、Ｇｂ、Ｂｂを頂点とした三角形の領域とする。
【００２３】
そして、第１画像表示装置の色再現範囲１の三角形と、第２画像表示装置の色再現範囲２の三角形との交点のうち、赤色近傍の交点をＲｃ、緑色近傍の交点をＧｃ、青色近傍の交点をＢｃとする。これらは、赤、緑、青色の共通色度点である。
【００２４】
さらに、赤色交点Ｒｃと緑色交点Ｇｃの間にある近傍の交点をＹｃ、緑色交点Ｇｃと青色交点Ｂｃの間にある交点をＣｃ、青色交点Ｂｃと赤色交点Ｒｃの間にある交点をＭｃとする。これらは、イエロー、シアン、マゼンタ色の共通色度点である。
【００２５】
また、図２は、本実施の形態における画像表示デバイスの制御信号１００を示すタイミングチャートである。
【００２６】
通常の画像表示デバイスの制御信号である、赤、緑、青色の制御信号範囲（表示期間）Ｓｒ、Ｓｇ、Ｓｂに加え、さらに、赤色と緑色を混色した中間色イエロー、緑色と青色を混色した中間色シアン、青色と赤色を混色した中間色マゼンタの制御信号範囲Ｓｙ、Ｓｃ、Ｓｍを設けている。
【００２７】
図２のように、画像表示デバイスの制御信号を６色持つことで、図１のように、２台の画像表示装置間の共通色再現範囲３を、従来の赤、緑、青色の交点Ｒｃ、Ｇｃ、Ｂｃを結ぶ三角形よりも斜線部領域だけ大きな六角形Ｒｃ、Ｙｃ、Ｇｃ、Ｃｃ、Ｂｃ、Ｍｃとすることが可能となる。
【００２８】
以下に、その説明を記す。
【００２９】
まず、単色色度点がＲａ、Ｇａ、Ｂａである第１画像表示装置の色再現範囲１と、単色色度点がＲｂ、Ｇｂ、Ｂｂである第２画像表示装置の色再現範囲２との共通色再現範囲３の交点であるＲｃ、Ｇｃ、Ｂｃの色度を表示する場合について説明する。
【００３０】
第１画像表示装置の赤色の色度点Ｒａは、第２画像表示装置との共通色再現範囲３の赤色の色度点Ｒｃよりも純度の高い赤色であるために、色純度の高いＲａで、色純度の低いＲｃを表現するには、Ｒａの色度点になるまで、純度の高い赤色のＲａに、緑色のＧａ、および青色のＢａの光を加えて、混色することが必要となる。
【００３１】
混色させる方法としては、画像表示デバイスの制御信号が、１画面を形成する１周期内において、順次複数の色を表示するフィールドシーケンシャル方式において、まず画像表示デバイスの赤色の制御信号が、第１画像表示装置に取り込まれた後、第１画像表示装置内の第１の画像表示デバイスを制御する制御信号として、赤色の制御信号に加え、緑色と青色にも制御信号が加わることで、第１画像表示装置のスクリーン上には、Ｒａに加えてＧａ、Ｂａの光が適切な量だけ混色されたＲｃの色度点を有する赤色として表示させる方法がある。
【００３２】
このように、画像表示装置のスクリーン上において、色純度の高い色を混色させて、色純度の低い色を表現できれば、どのような手法を用いても良い。
【００３３】
上記のような手法を用いることで、第１画像表示装置、および第２画像表示装置が、従来の赤、緑、青色の交点を結ぶ三角形Ｒｃ、Ｇｃ、Ｂｃで画像表示可能となる。
【００３４】
さらに、上記赤、緑、青色に加えて、赤色と緑色を混色した中間色、緑色と青色を混色した中間色、青色と赤色を混色した中間色の制御信号に合わせて、第１画像表示装置であれば、赤色Ｒａと緑色Ｇａを混色させた中間色Ｙｃ、緑色Ｇａと青色Ｂａを混色させた中間色Ｃｃ、青色Ｂａと赤色Ｒａを混色させた中間色Ｍｃ、を表現することによって、これまでの共通色再現範囲であった三角形ではなく、その三角形を包含する六角形を共通色再現範囲３とすることが可能となる。
【００３５】
上記のように、本実施の形態の構成であれば、複数台の画像表示装置間の表示色バラツキを少なくした状態で、従来の三角形型共通色再現範囲以上の色再現範囲を有する多角形型共通色再現範囲を実現できるマルチビジョンシステムを提供することができる。
【００３６】
なお、本実施の形態では、２台の画像表示装置の共通色再現範囲の交点が６個になる場合であったが、図３から図６のように、交点が０個〜５個となる場合もある。
【００３７】
また、画像表示装置の台数がさらに増える場合は、当然ながら交点も増えることになる。
【００３８】
このような場合、各々の画像表示装置における赤、緑、青の各色度点を結んだ三角形の内側に、最小の三角形の頂点が包含されている場合、つまり赤、緑、青色の領域の交点が形成されない場合、図３および図４のように、最も内側にある赤色、緑色、青色の色度点、Ｒｂ、Ｇｂ、Ｂｂを、交点Ｒｃ、Ｇｃ、Ｂｃとする。
【００３９】
また、上記の見方を含んだ赤色領域にある交点と緑色領域にある交点との間、緑色領域にある交点と青色領域にある交点との間、青色領域にある交点と赤色領域にある交点との間に交点が存在しない場合は、各交点間の任意の共通色度点を中間色の交点としてもよいし、または交点を設定しなくても良い。
【００４０】
つまり、図３および図４については、一方の画像表示装置の色再現範囲に、もう一方の画像表示装置の色再現範囲が、完全に包含されているために、共通色再現範囲３は従来の共通色再現範囲と等価になるが、図５および図６については、従来の共通色再現範囲以上の共通色再現範囲を有することができるので、従来の三角形型共通色再現範囲以上の色再現範囲を有する共通色再現範囲を実現できる画像表示装置及びマルチビジョンシステムを提供することができる。
【００４１】
なお、本実施の形態のリアプロに用いる画像表示デバイスについては、特にどのような画像表示デバイスであっても良く、透過型液晶素子、反射型液晶素子、デジタルマイクロミラーデバイス（ＤＭＤ）などであっても良い。
【００４２】
また、本実施の形態では、画像表示装置としてリアプロを用いているが、画像表示装置であればどのようなものでも良く、液晶ディスプレイ、プロジェクタ、プラズマディスプレイ、フィールドエミッションディスプレイなどでも良い。
【００４３】
また、本実施の形態では、スクリーン上の表示色を混色させる方法として、フィールドシーケンシャル方式での、混色させた中間色の表示方法を用いたが、他の方法として、画像表示デバイス自身が非発光である画像表示装置においては、光源に発光ダイオードやレーザーのように、赤、緑、青色の単色光を放射する光源を用いている場合では、図２の各色の表示期間に合わせて、赤色の光源、緑色の光源と青色の光源を同時に適切な光量で点灯させることで、赤色、緑色、青色、および全ての中間色を表現する方法でも良い。
【００４４】
さらに、画像表示デバイスの画素毎が、赤色、緑色、青色の３つの色で発光している、プラズマディスプレイや、フィールドエミッションディスプレイなどの画像表示装置においては、図２のような、赤、緑、青およびそれらの中間色の表示期間を設けるのではなく、１画面を形成する１周期間全体の光量を各画素の３つの発光部で調整し、１画素として、赤色、緑色、青色、および全ての中間色を表現する方法でも良い。
【００４５】
このように、スクリーン上の表示色を混色させる方法としては、各画像表示装置、およびその画像表示装置が有する画像表示デバイスに合わせた方法を用いることで、実現することができる。
【産業上の利用可能性】
【００４６】
本発明のマルチビジョンシステムによれば、複数台の画像表示装置間の表示色バラツキが少なく、従来以上の色再現範囲を有するマルチビジョンシステムに有用である。
【図面の簡単な説明】
【００４７】
【図１】本発明の第１の実施の形態におけるマルチビジョンシステムの画像表示装置間の色再現範囲を示す概略図
【図２】同マルチビジョンシステムの画像表示デバイスの制御信号を示すタイミングチャート
【図３】同マルチビジョンシステムの画像表示装置間の色再現範囲の他の例を示す概略図
【図４】同マルチビジョンシステムの画像表示装置間の色再現範囲の他の例を示す概略図
【図５】同マルチビジョンシステムの画像表示装置間の色再現範囲の他の例を示す概略図
【図６】同マルチビジョンシステムの画像表示装置間の色再現範囲の他の例を示す概略図
【図７】従来の複数台の画像表示装置間の色再現範囲を示す概略図
【符号の説明】
【００４８】
１  第１画像表示装置の色再現範囲
２  第２画像表示装置の色再現範囲                                              
３  共通色再現範囲
１００  画像表示デバイスの制御信号
Ｒａ、Ｇａ、Ｂａ  第１画像表示装置の色度点
Ｒｂ、Ｇｂ、Ｂｂ  第２画像表示装置の色度点
Ｒｃ、Ｇｃ、Ｂｃ  共通の色度点
Ｙｃ、Ｃｃ、Ｍｃ  中間色の色度点
【図１】
2010177979.tif 000003
【図２】
2010177979.tif 000004
【図３】
2010177979.tif 000005
【図４】
2010177979.tif 000006
【図５】
2010177979.tif 000007
【図６】
2010177979.tif 000008
【図７】
2010177979.tif 000009